(57)【要約】【課題】  グレ−ティング23、対物レンズ26間の距離が短縮できず、超小型対物レンズ26を使用した場合、±1次のサブビ−ムに対物レンズ26によるケラレが発生し、光ディスク上でのサブビ−ムスポットの品質が低下し、サ−ボ信号の検出、制御に影響を及ぼす。【解決手段】  レ−ザ１１から出射する光ビームを光ディスクＤ上に集光する対物レンズ１３と、光ディスクＤからの反射光を受光する光検出器１５と、レ−ザ１１側から入射する光束を対物レンズ１３側へ反射し、レンズ１３側から入射する反射光を光検出器１５側へ透過して出射する偏光ビ−ムスプリッタ１６と、ビ−ムスプリッタ１６とレンズ１３との間の光路上に配置されており、ビ−ムスプリッタ１６側から入射する光束を０次，±１次）に分光して対物レンズ１３側へ出射し、対物レンズ１３側から入射する反射光を０次光としてビ−ムスプリッタ１６側へ出射する偏光光学素子１４とを有する。【選択図】  図１
2007012163.tif 000002
【特許請求の範囲】
【請求項１】
所定の波長を有し直線偏光からなる光ビ−ムを出射する半導体レ−ザと、
前記光ビームに応じた光束を光ディスク上に集光する対物レンズと、
前記対物レンズを介して得た光ディスクからの反射光を受光する光検出器と、
前記半導体レ−ザ側から入射する光束を前記対物レンズ側へ反射し、前記対物レンズ側から入射する反射光を前記光検出器側へ透過して出射する偏光ビ−ムスプリッタと、
前記偏光ビ−ムスプリッタと前記対物レンズとの間の光路上に配置されており、前記偏光ビ−ムスプリッタ側から入射する光束を０次、±１次に分光して前記対物レンズ側へ出射し、前記対物レンズ側から入射する反射光を０次光として前記偏光ビ−ムスプリッタ側へ出射する偏光光学素子とを有することを特徴とする光ディスク装置。
【請求項２】
固定部と可動部とを分離可能なように構成される分離光学系を有する光ディスク装置であって、
前記固定部は、所定の波長を有し直線偏光からなる光ビ−ムを出射する半導体レ−ザを少なくとも有しており、
前記可動部は、
前記固定部の前記半導体レ−ザ側から入光する前記光ビームに応じた光束を光ディスク上に集光する対物レンズと、
前記対物レンズを介して得た光ディスクからの反射光を受光する光検出器と、
前記半導体レ−ザ側から入射する光束を前記対物レンズ側へ反射し、前記対物レンズ側から入射する反射光を前記光検出器側へ透過して出射する偏光ビ−ムスプリッタと、
前記偏光ビ−ムスプリッタと前記対物レンズとの間の光路上に配置されており、前記偏光ビ−ムスプリッタ側から入射する光束を０次、±１次に分光して前記対物レンズ側へ出射し、前記対物レンズ側から入射する反射光を０次光として前記偏光ビ−ムスプリッタ側へ出射する偏光光学素子とを有することを特徴とする光ディスク装置。
【発明の詳細な説明】
【技術分野】
【０００１】
本発明は、小型、薄型化を目的とした超小型対物レンズを備えた光ディスク装置に関する。
【背景技術】
【０００２】
光学式ディスクプレーヤにおいて、光ディスク上に記録されている情報を読取る為の構成は、ターンテーブル上に固定されて回転している光ディスクの情報記録面に対して、光学式ピックアップ（以下、ピックアップと呼ぶ）から出射された光ビームを照射し、その光ディスクの情報記録面からの反射光をピックアップ内に設けられた光検出素子によつて受光する構成となっている。
【０００３】
光ディスクから正確に情報を読取る為には、この光ディスク上の情報読取位置において光ディスクの情報記録面に照射された光ビームのスポットが正規の位置、サイズになるように、即ち、光ディスクの情報記録面と光ビームの合焦点が一致するように、光ディスクの情報記録面とピックアップ内に設けられた対物レンズとの距離を所定の位置関係に保つ必要がある。これをなす為には、フォ−カスエラ−信号、トラッキングエラ−信号を検出しフィ−ドバックする必要がある。信号検出の方法としてサブビ−ムを使用する場合、グレ−ティングによる回折効果を利用するのが一般的である。
【０００４】
図２は従来の光ディスク装置の構成例を示す。
光源として光ビ−ムを出射する半導体レ−ザ21、レ−ザ光を平行光束に変換するコリメ−タレンズ22、レ−ザ光をメイン、サブ2本に回折効果により分光するグレ−ティング23、偏光ビ−ムスプリッタ24、1/4波長板25、光ディスク上にレ−ザ光を集光する対物レンズ26、光ディスクからの反射光を検出する受光素子27、検出レンズ28で構成されている。
【０００５】
また、光ビ−ムを出射する半導体レ−ザと、この光ビームに応じた光束を光ディスク上に集光する対物レンズと、対物レンズを介して得た光ディスクからの反射光を受光する光検出器と、半導体レ−ザ側から入射する光束を対物レンズ側へ透過し対物レンズ側から入射する反射光を光検出器側へ反射して出射する偏光ビ−ムスプリッタを有する光ピックアップ装置がある（例えば特開平０５−１０１４３８号公報）。
【特許文献１】特開平０５−１０１４３８号公報
【発明の開示】
【発明が解決しようとする課題】
【０００６】
近年、光ディスク装置の小型化、薄型化を実現するために光束径を小さくした超小型対物レンズの開発が必須となっている。
しかし図２に示す構造では、グレ−ティング23、立ち上げミラ−間に偏光ビ−ムスプリッタ24、1/4波長板25が配置され、グレ−ティング23、対物レンズ26間の距離が短縮できず、超小型対物レンズ26を使用した場合、回折角度を持つ±1次のサブビ−ムに対物レンズによるケラレが発生し、光ディスク上でのサブビ−ムスポットの品質が低下し、サ−ボ信号の検出、制御に影響を及ぼしてしまうという問題がある。
【０００７】
本発明は、上記した課題に鑑みて成されたものであり、偏光ビ−ムスプリッタ24、立ち上げミラ−間に偏光光学素子を備えることにより、±1次のサブビ−ムの対物レンズによるケラレの発生をなくし、光ディスク上でのサブビ−ムスポットの品質劣化をより少なくし、超小型対物レンズの使用を可能とし、装置の小型化、薄型化を実現できる光ディスク装置を提供することを目的とする。。
【課題を解決するための手段】
【０００８】
本発明は、上述した課題を解決するため、次の構成を有する光ピックアップの送り装置を提供する。
(１)  図１、図３に示すように、所定の波長を有し直線偏光からなる光ビ−ムを出射する半導体レ−ザ１１と、
前記光ビームに応じた光束を光ディスクＤ上に集光する対物レンズ（超小型対物レンズ）１３と、
前記対物レンズ１３を介して得た光ディスクＤからの反射光を受光する光検出器１５と、
前記半導体レ−ザ１１側から入射する光束を前記対物レンズ１３側へ反射し、前記対物レンズ１３側から入射する反射光を前記光検出器側１５へ透過して出射する偏光ビ−ムスプリッタ１６と、
前記偏光ビ−ムスプリッタ１６と前記対物レンズ１３との間の光路上に配置されており、前記偏光ビ−ムスプリッタ１６側から入射する光束を０次（メインビーム）、±１次（２本のサブビーム）に分光して前記対物レンズ１３側へ出射し、前記対物レンズ１３側から入射する反射光を０次光として前記偏光ビ−ムスプリッタ１６側へ出射する偏光光学素子１４とを有することを特徴とする光ディスク装置Ａ。
(２)  図３、図４に示すように、固定部４ａと可動部４ｂとを分離可能なように構成される分離光学系を有する光ディスク装置Ｂであって、
前記固定部４ａは、所定の波長を有し直線偏光からなる光ビ−ムを出射する半導体レ−ザ４１を少なくとも有しており、
前記可動部４ｂは、
前記固定部4ａの前記半導体レ−ザ４１側から入光する前記光ビームに応じた光束を光ディスクＤ上に集光する対物レンズ（超小型対物レンズ）４３と、
前記対物レンズ４３を介して得た光ディスクＤからの反射光を受光する光検出器４５と、
前記半導体レ−ザ４１側から入射する光束を前記対物レンズ４３側へ反射し、前記対物レンズ４１側から入射する反射光を前記光検出器４５側へ透過して出射する偏光ビ−ムスプリッタ４６と、
前記偏光ビ−ムスプリッタ４６と前記対物レンズ４３との間の光路上に配置されており、前記偏光ビ−ムスプリッタ４６側から入射する光束を０次（メインビーム）、±１次（２本のサブビーム）に分光して前記対物レンズ４３側へ出射し、前記対物レンズ４３側から入射する反射光を０次光として前記偏光ビ−ムスプリッタ４６側へ出射する偏光光学素子４４とを有することを特徴とする光ディスク装置。
【発明の効果】
【０００９】
本発明によれば、偏光ビ−ムスプリッタ、対物レンズ間に偏光光学素子を備えることにより、±1次のサブビ−ムの対物レンズによるケラレの発生をなくし、光ディスク上でのサブビ−ムスポットの品質劣化をより少なくし、超小型対物レンズの使用を可能とし、装置の小型化、薄型化を実現できる光ディスク装置を提供することができる。
【発明を実施するための最良の形態】
【００１０】
以下、本発明を実施するための最良の実施の形態について、図に沿って詳細に説明する。
図1，図３はそれぞれ本発明の光ディスク装置の第１，第２実施例の構成図、図3は偏光光学素子の作用を説明するための図である。
本発明の光ディスク装置の第１実施例は、図1に示すように、レ−ザ光源である半導体レ−ザ11は直線的に偏光、発散した光束を発生する。光束はコリメ−タレンズ12により平行な光束に変換され偏光ビ-ムスプリッタ16を径由して偏光光学素子14に達する。偏光光学素子14には図3に示すｂ面に1/4波長板としての機能も付加させているため、往路では光束を0次および±1次に分光し、復路では100％に近い割合で0次光として透過させる機能を持つ。
【００１１】
往路で3つのビ−ムに分光された光束は対物レンズ13により光ディスクに集光、反射される。反射した光束は対物レンズ13を径由して再び偏光光学素子14に入射する。復路では3つのビ−ムはそのまま透過し、偏光ビ−ムスプリッタ16、検出レンズ17を経由して受光素子15に入射しサ−ボ検出、制御に利用される。
【００１２】
本発明の光ディスク装置の第２実施例は、図４に示すように、第２実施例は第1実施例に対し球面収差補正素子、色収差補正素子等が追加された場合を想定しており光学素子構成として可動部が過大となった。そこで、固定部４ａ、可動部４ｂよりなる分離光学系を採用し可動部の重量を小さくすることで応答性を上げている。固定部４ａが所定の波長および直線偏光よりなる光ビ−ムを出射する半導体レ−ザ41、光束を平行な光束に変換するコリメ−タレンズ42、球面収差補正素子48、色収差補正素子49を有し、可動部が偏光ビ-ムスプリッタ46、偏光光学素子44、対物レンズ43、検出レンズ47、受光素子45を備えている。
【図面の簡単な説明】
【００１３】
【図１】本発明の光ディスク装置の第１実施例の構成図
【図２】従来の光ディスク装置の構成例を示す図
【図３】偏光光学素子の作用を説明するための図
【図４】本発明の光ディスク装置の第２実施例の構成図
【符号の説明】
【００１４】
４ａ・・・  固定部
４ｂ・・・  可動部
１１，２１，４１・・・  半導体レ−ザ
１３，２６，４３・・・  対物レンズ
１４，４４・・・  偏光光学素子
１５，２７，４５・・・  受光素子
１６，２４，４６・・・  偏光ビ−ムスプリッタ
Ａ，Ｂ・・・  光ディスク装置
Ｄ・・・  光ディスク
【図１】
2007012163.tif 000003
【図２】
2007012163.tif 000004
【図３】
2007012163.tif 000005
【図４】
2007012163.tif 000006